(57)【要約】【課題】入力された印刷データ（画像データ）の色空間に依存して当該印刷データに対してエッジ強調処理が過剰に行われることを防ぐ技術を提供する。【解決手段】色変換部３０１は、入力画像データの色空間がＲＧＢ色空間（第１色空間）である場合に、当該画像データをＣＭＹＫ色空間（第２色空間）の画像データに変換する。エッジ強調部３０２は、エッジ強調部３０２は、入力画像データの色空間がＲＧＢ色空間である場合には、色変換部３０１による変換後の画像データに対してエッジ強調処理を行う。一方、エッジ強調部３０２は、入力画像データの色空間がＣＭＹＫ色空間である場合には、当該入力画像データに対してエッジ強調処理を行う。エッジ強調処理において、エッジ強調部３０２は、入力画像データの色空間がＲＧＢ色空間である場合とＣＭＹＫ色空間である場合とで、エッジ強調処理におけるエッジ強調の度合いを異ならせる。【選択図】図３
2020170308.tif 000002
【特許請求の範囲】
【請求項１】
印刷対象の画像データの入力を受け付ける受け付け手段と、
前記入力された画像データの色空間が第１色空間である場合に、当該画像データを第２色空間の画像データに変換する変換手段と、
前記入力された画像データの色空間が前記第１色空間である場合には、前記変換手段による変換後の画像データに対してエッジ強調処理を行い、前記入力された画像データの色空間が前記第２色空間である場合には、前記入力された画像データに対して前記エッジ強調処理を行う処理手段と、を備え、
前記処理手段は、前記入力された画像データの色空間が前記第１色空間である場合と前記第２色空間である場合とで、前記エッジ強調処理におけるエッジ強調の度合いを異ならせることを特徴とする画像形成装置。
【請求項２】
前記処理手段は、前記入力された画像データの色空間が前記第２色空間である場合に、前記入力された画像データの色空間が前記第１色空間である場合よりも、前記エッジ強調処理におけるエッジ強調の度合いを弱くする
ことを特徴とする請求項１に記載の画像形成装置。
【請求項３】
前記エッジ強調処理は、処理対象の画像データから得られる輝度信号に対するフィルタ処理を含み、
前記処理手段は、前記入力された画像データの色空間に応じて、前記フィルタ処理におけるフィルタゲインを調整することで、前記エッジ強調の度合いを調整する
ことを特徴とする請求項１又は２に記載の画像形成装置。
【請求項４】
前記処理手段は、前記処理対象の画像データに含まれる色成分信号のうち、ブラックに対応する色成分信号から得られる輝度信号に対する前記フィルタ処理における前記フィルタゲインを、前記入力された画像データの色空間に応じて調整する
ことを特徴とする請求項３に記載の画像形成装置。
【請求項５】
前記処理手段は、前記入力された画像データの色空間が前記第２色空間である場合に、前記入力された画像データの色空間が前記第１色空間である場合よりも、前記フィルタゲインを小さくする
ことを特徴とする請求項３又は４に記載の画像形成装置。
【請求項６】
前記エッジ強調処理は、処理対象の画像データに含まれる色成分信号のうち、ブラック以外の色に対応する色成分信号から得られる輝度信号に対する第１フィルタ処理と、ブラックに対応する色成分信号から得られる輝度信号に対する第２フィルタ処理と、を含み、
前記処理手段は、前記第１フィルタ処理におけるフィルタゲインを、前記入力された画像データの色空間によらず同一にし、前記第２フィルタ処理におけるフィルタゲインを、前記入力された画像データの色空間に応じて調整する
ことを特徴とする請求項３から５のいずれか１項に記載の画像形成装置。
【請求項７】
前記エッジ強調処理は、処理対象の画像データから得られる輝度信号に対するフィルタ処理と、エッジ強調量の補正のために、前記フィルタ処理が行われる前の輝度信号と前記フィルタ処理により得られた輝度信号とを、それぞれ重み付けして合成する補正処理と、を含み、
前記処理手段は、前記入力された画像データの色空間に応じて、前記補正処理に用いられる重み付け係数を調整することで、前記エッジ強調の度合いを調整する
ことを特徴とする請求項１又は２に記載の画像形成装置。
【請求項８】
ユーザの操作に従って前記エッジ強調の度合いを設定する設定手段を更に備え、
前記処理手段は、前記設定手段による設定に従って前記エッジ強調の度合いを調整する
ことを特徴とする請求項１から７のいずれか１項に記載の画像形成装置。
【請求項９】
前記第１色空間は、ＲＧＢ色空間であり、
前記第２色空間は、ＣＭＹＫ色空間である
ことを特徴とする請求項１から８のいずれか１項に記載の画像形成装置。
【請求項１０】
前記処理手段による前記エッジ強調処理が行われた前記第２色空間の画像データに基づいて、シートに画像を印刷する印刷手段を更に備える
ことを特徴とする請求項１から９のいずれか１項に記載の画像形成装置。
【請求項１１】
画像データの入力を受け付ける受け付け工程と、
前記入力された画像データの色空間が第１色空間である場合に、当該画像データを第２色空間の画像データに変換する変換工程と、
前記入力された画像データの色空間が前記第１色空間である場合には、前記変換工程における変換後の画像データに対してエッジ強調処理を行い、前記入力された画像データの色空間が前記第２色空間である場合には、前記入力された画像データに対して前記エッジ強調処理を行う処理工程と、を含み、
前記処理工程では、前記入力された画像データの色空間が前記第１色空間である場合と前記第２色空間である場合とで、前記エッジ強調処理におけるエッジ強調の度合いを異ならせることを特徴とする画像形成装置の制御方法。
【請求項１２】
請求項１１に記載の画像形成装置の制御方法の各工程をコンピュータに実行させるためのプログラム。
【発明の詳細な説明】
【技術分野】
【０００１】
本発明は、画像形成装置及びその制御方法、並びにプログラムに関するものである。
【背景技術】
【０００２】
ＲＧＢ形式で入力された印刷データ（画像データ）をＣＭＹＫ形式のデータに変換するための色変換パラメータ（プロファイル）を保持する画像形成装置が知られている。画像形成装置では、ＣＭＹＫ形式の画像データに対して、エッジ強調（シャープネス）処理等の画像処理が行われる。特許文献１には、画像形成装置において画像形成に用いられるＣＭＹＫ形式の画像データに対してエッジ強調処理を行う技術が記載されている。このような画像形成装置では、予め保持している色変換パラメータを用いて出力されるＣＭＹＫ形式の画像データに対して最適となるように、エッジ強調の度合いが設定されている。
【先行技術文献】
【特許文献】
【０００３】
【特許文献１】特開２０１５−２４４３号公報
【発明の概要】
【発明が解決しようとする課題】
【０００４】
上述のような画像形成装置において、印刷データがＲＧＢ形式ではなくＣＭＹＫ形式で入力される場合がある。例えば、何らかのアプリケーションでＲＧＢ形式からＣＭＹＫ形式への変換が行われた後の印刷データが画像形成装置に入力される場合がある。この場合、画像形成装置は、どのような色変換パラメータを用いてＲＧＢ形式からＣＭＹＫ形式に変換されたのかを特定できない。
【０００５】
このようにＣＭＹＫ形式で入力された印刷データに対して、ＲＧＢ形式で入力された場合と同様のエッジ強調処理を行った場合、最適なエッジ強調処理を行うことができないことがありうる。例えば、コントラストに関連する処理の影響を受けやすいブラック成分（Ｋ成分）が印刷データに多く含まれていると、シャープネスがかかりすぎてしまうという課題がある。
【０００６】
本発明は、上述の課題に鑑みてなされたものである。本発明は、入力された印刷データ（画像データ）の色空間に依存して当該印刷データに対してエッジ強調処理が過剰に行われることを防ぐ技術を提供することを目的とする。
【課題を解決するための手段】
【０００７】
本発明の一態様に係る画像形成装置は、印刷対象の画像データの入力を受け付ける受け付け手段と、前記入力された画像データの色空間が第１色空間である場合に、当該画像データを第２色空間の画像データに変換する変換手段と、前記入力された画像データの色空間が前記第１色空間である場合には、前記変換手段による変換後の画像データに対してエッジ強調処理を行い、前記入力された画像データの色空間が前記第２色空間である場合には、前記入力された画像データに対して前記エッジ強調処理を行う処理手段と、を備え、前記処理手段は、前記入力された画像データの色空間が前記第１色空間である場合と前記第２色空間である場合とで、前記エッジ強調処理におけるエッジ強調の度合いを異ならせることを特徴とする。
【発明の効果】
【０００８】
本発明によれば、入力された印刷データ（画像データ）の色空間に依存して当該印刷データに対してエッジ強調処理が過剰に行われることを防ぐことが可能になる。
【図面の簡単な説明】
【０００９】
【図１】画像形成装置のハードウェア構成例を示すブロック図。
【図２】画像形成装置のハードウェア構成例を示す断面図。
【図３】画像処理部による画像処理に対応する機能ブロック構成例を示すブロック図。
【図４】エッジ強調部によるエッジ強調処理の手順を示すフローチャート。
【図５】エッジ強調処理の結果の例を示す図。
【図６】白色度の累積の対象となる、注目画素の周囲の画素群の例を示す図。
【図７】エッジ強調量の補正用の補正値αCMYの例を示す図。
【図８】エッジ強調処理の結果の例を示す図。
【図９】エッジ強調部によるエッジ強調処理の手順を示すフローチャート。
【図１０】エッジ強調量の補正用の補正値αKの例を示す図。
【図１１】エッジ強調の度合いを調整するためのＵＩの例を示す図。
【発明を実施するための形態】
【００１０】
以下、添付図面を参照して実施形態を詳しく説明する。なお、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一又は同様の構成に同一の参照番号を付し、重複した説明は省略する。
【００１１】
［第１実施形態］
＜画像形成装置の構成＞
図１は、本実施形態に係る画像形成装置１０のハードウェア構成例を示すブロック図である。画像形成装置１０は、シアン（Ｃ）、マゼンタ（Ｍ）、イエロー（Ｙｅ）（以下では、輝度Ｙと区別するため単色の場合に限り「Ｙｅ」と表記する。）及びブラック（Ｋ）の、４色のトナーを用いてシートに画像を形成する画像形成機能（印刷機能）を有する。画像形成装置１０は、更に、原稿の画像の読み取り（スキャン）を行う読取機能、原稿の画像のコピーを行うコピー機能、及び画像データを外部装置へ送信する送信機能等の、種々の機能を有する。
【００１２】
画像形成装置１０は、画像読取部１０１、画像処理部１０２、記憶部１０３、ＣＰＵ１０４、画像出力部１０５、ユーザインタフェース（ＵＩ）部１０６、及び通信部１０７を備える。なお、画像形成装置１０は、画像データを管理するサーバ装置、プリントの実行を指示するパーソナルコンピュータ（ＰＣ）等の外部装置に、有線又は無線ネットワーク等を介して接続可能である。
【００１３】
記憶部１０３は、ＲＯＭ、ＲＡＭ、及びハードディスクドライブ（ＨＤＤ）等のデバイスで構成される。ＲＯＭは、ＣＰＵ１０４によって実行される各種の制御プログラム及び画像処理プログラムを格納する。ＲＡＭは、ＣＰＵ１０４が各種のデータ及び情報を格納する参照領域又は作業領域として用いられる。また、色変換処理（色分解処理）に用いられる色変換テーブル、及び画像処理用のその他の処理パラメータも、ＲＡＭ又はＨＤＤに格納される。ＣＰＵ１０４は、ＲＡＭ及びＨＤＤに画像データを蓄積することで、例えば、ページのソートを行い、ソートされた複数のページにわたる原稿の画像データを蓄積し、複数部数の印刷出力を行う処理を実行しうる。
【００１４】
画像読取部１０１は、原稿の画像を読み取って画像データを生成する。画像出力部１０５は、シートに画像を形成（出力）する。なお、シートは、記録紙、記録材、記録媒体、用紙、転写材、転写紙等と称されてもよい。ＵＩ部１０６は、各種情報を表示する表示部、及びユーザの操作を受け付ける入力部で構成される。入力部は、例えば、表示部と一体化したタッチパネルである。ＵＩ部１０６は、例えば、画像処理部１０２による画像処理の種類又は設定等をユーザが指示するための操作を受け付ける。
【００１５】
通信部１０７は、外部装置と通信可能な通信インタフェースである。通信部１０７は、例えば、外部装置から印刷データ（画像データ）を受信し、受信した印刷データを記憶部１０３に保存する。また、通信部１０７は、記憶部１０３に格納されている印刷データ（画像データ）を外部装置へ送信する。
【００１６】
画像処理部１０２には、画像読取部１０１又は通信部１０７等から、画像データを含む印刷データが入力される。印刷データは、ページ記述言語（ＰＤＬ）と呼ばれる、描画を指示するためのプログラミング言語（例えば、ＬＩＰＳ又はＰｏｓｔＳｃｒｉｐｔ（登録商標））で記述される。なお、ＬＩＰＳの印刷データはＲＧＢ色空間で表現され、ＰｏｓｔＳｃｒｉｐｔの印刷データはＣＭＹＫ色空間で表現される。画像処理部１０２は、印刷データを解釈するインタプリタをＰＤＬの種類ごとに有している。
【００１７】
画像処理部１０２は、入力された印刷データを中間データに変換し、当該中間データを記憶部１０３に設けられたバッファに格納（バッファリング）する。その際、画像処理部１０２は、異なる種類のＰＤＬで記述された印刷データを共通の中間データに変換する。なお、上記のバッファは、ＲＡＭ又はＨＤＤの記憶領域に設けられる。画像処理部１０２は、更に、バッファリングされた中間データに基づいて、印刷データに対応する色空間の画像データを生成し、生成した画像データを記憶部１０３のバッファに格納する。その際、画像処理部１０２は、色変換処理、エッジ強調処理及びハーフトーン処理を、画像データに対して行う。
【００１８】
図２は、画像形成装置１０のハードウェア構成例を示す断面図である。ここでは、画像読取部１０１によって原稿の画像を読み取り、当該画像を画像出力部１０５によってシートに印刷するコピー処理を例に、画像形成装置１０の構成及び動作を説明する。
【００１９】
画像読取部１０１において、原稿台ガラス２０３と原稿圧板２０２との間に置かれた、読取対象の原稿２０４に対して、ランプ２０５からの光が照射される。原稿２０４からの反射光は、ミラー２０６及び２０７に導かれ、レンズ２０８によって３ラインセンサ２１０上に結像される。なお、レンズ２０８には赤外カットフィルタ２３１が設けられている。ミラー２０６及びランプ２０５を含むミラーユニットは、モータ（図示せず）によって駆動されて速度Ｖで矢印の方向に移動する。また、ミラー２０７を含むミラーユニットは、モータによって駆動されて速度Ｖ／２で矢印の方向に移動する。このように、３ラインセンサ２１０の電気的走査方向（主走査方向）に対して垂直方向（副走査方向）にこれらのミラーユニットが移動することで、原稿２０４の全面が走査される。
【００２０】
３ラインセンサ２１０は、３ラインのＣＣＤ２１０−１，２１０−２，２１０−３で構成される。３ラインセンサ２１０は、入射光を電気信号に変換し、レッド（Ｒ）、グリーン（Ｇ）及びブルー（Ｂ）の色成分から成る、ＲＧＢ色空間の画像データを生成し、画像処理部１０２へ送信する。標準白色板２１１は、３ラインセンサ２１０の各ＣＣＤによって生成された画像データの補正に用いられる。
【００２１】
画像処理部１０２は、３ラインセンサ２１０から入力されたＲＧＢ色空間の画像データに対して色変換処理を行う。具体的には、画像処理部１０２は、入力された画像データから、シアン（Ｃ）、マゼンタ（Ｍ）、イエロー（Ｙｅ）及びブラック（Ｋ）の各色成分の画像データ（ＣＭＹＫ色空間の画像データ）を生成する。更に、画像処理部１０２は、生成した画像データに対してハーフトーン処理を行い、ハーフトーン処理が行われた画像データを画像出力部１０５へ送信する。
【００２２】
画像出力部１０５において、画像処理部１０２から受信した、ＣＭＹＫ色空間の画像データは、レーザドライバ２１２へ入力される。レーザドライバ２１２は、入力された画像データの各色成分データに応じて半導体レーザ素子２１３を駆動する。半導体レーザ素子２１３から出力されたレーザビームは、ポリゴンミラー２１４、ｆθレンズ２１５及びミラー２１６を介して、感光ドラム２１７に照射される。これにより、感光ドラム２１７に入力された画像データに対応する静電潜像が感光ドラム２１７に形成される。
【００２３】
現像器２１９〜２２２は、それぞれＣ，Ｍ，Ｙｅ，Ｋのトナーを用いて、感光ドラム２１７に形成された静電潜像を現像する。これにより、感光ドラム２１７上にトナー像が形成される。給紙カセット２２５から供給されたシートは、搬送路を搬送されて転写ドラム２２３に巻き付けられる。感光ドラム２１７上のＣ，Ｍ，Ｙｅ，Ｋのトナー像が、シート上に順に重ね合わせて転写される。このようにして、多色画像が形成されたシートは、定着ユニット２２６による定着処理が行われた後、装置外の排紙トレイへ排出される。
【００２４】
＜画像処理部の機能構成＞
図３は、本実施形態に係る画像処理部１０２による画像処理に対応する機能ブロック構成例を示すブロック図である。図３に示されるように、画像処理部１０２は、画像形成装置１０における印刷対象の画像データの入力として、ＲＧＢ色空間（第１色空間）の画像データと、ＣＭＹＫ色空間（第２色空間）の画像データとのいずれかの入力を受け付ける。上述のように、３ラインセンサ２１０から画像データが入力される場合に、ＲＧＢ色空間の画像データが画像処理部１０２に入力される。また、外部装置からＲＧＢ色空間で記述された印刷データが受信された場合に、ＲＧＢ色空間の画像データが画像処理部１０２に入力される。
【００２５】
画像処理部１０２は、ＲＧＢ色空間の画像データが入力された場合には、エッジ強調処理の実行前に色変換処理を実行する。色変換部３０１は、ＲＧＢ色空間の画像データを、トナー色に対応する４色の色成分から成る、ＣＭＹＫ色空間の画像データに変換する。この変換は、記憶部１０３（ＨＤＤ）に格納されている色変換テーブル（色変換パラメータ）を用いて行われる。このように、色変換部３０１は、画像処理部１０２（画像形成装置１０）への入力画像データの色空間がＲＧＢ色空間（第１色空間）である場合に、当該画像データをＣＭＹＫ色空間（第２色空間）の画像データに変換する。
【００２６】
エッジ強調部３０２は、ＣＭＹＫ色空間の画像データに対して、後述するエッジ強調処理を行う。図３に示されるように、エッジ強調部３０２は、入力画像データの色空間がＲＧＢ色空間（第１色空間）である場合には、色変換部３０１による変換後の、ＣＭＹＫ色空間の画像データに対してエッジ強調処理を行う。一方、エッジ強調部３０２は、入力画像データの色空間がＣＭＹＫ色空間（第２色空間）である場合には、当該入力画像データに対してエッジ強調処理を行う。
【００２７】
本実施形態では、エッジ強調部３０２は、入力画像データの色空間がＲＧＢ色空間である場合と、入力画像データの色空間がＣＭＹＫ色空間である場合とで、エッジ強調処理におけるエッジ強調の度合いを異ならせる。これにより、入力された印刷データ（画像データ）の色空間に依存して当該印刷データに対してエッジ強調処理が過剰に行われることを防ぐことを可能にする。
【００２８】
後述するように、エッジ強調部３０２によるエッジ強調処理は、処理対象の画像データから得られる輝度信号に対するフィルタ処理を含む。本実施形態では、図４を用いて後述するように、入力画像データの色空間に応じて、フィルタ処理におけるフィルタゲインを調整することで、エッジ強調の度合いを調整する例を説明する。エッジ強調部３０２は、入力画像データの色空間がＣＭＹＫ色空間（第２色空間）である場合に、入力画像データの色空間がＲＧＢ色空間（第１色空間）である場合よりも、フィルタゲインを小さくする。これにより、エッジ強調部３０２は、入力画像データの色空間がＣＭＹＫ色空間（第２色空間）である場合に、入力画像データの色空間がＲＧＢ色空間（第１色空間）である場合よりも、エッジ強調処理におけるエッジ強調の度合いを弱くする。
【００２９】
エッジ強調処理が行われた画像データは、エッジ強調部３０２からハーフトーン処理部３０３へ出力される。ハーフトーン処理部３０３は、例えばディザ法を用いたハーフトーン処理を行う。ハーフトーン処理後の画像データは、画像出力部１０５へ送信されるか、又は記憶部１０３に格納される。
【００３０】
＜エッジ強調処理＞
図４は、エッジ強調部３０２によって実行されるエッジ強調処理の手順を示すフローチャートである。図４に示される各ステップの処理は、ＣＰＵ１０４からの命令に従ってエッジ強調部３０２（画像処理部１０２）によって実行される。
【００３１】
ここでは、一例として、処理対象の画像データに含まれる色成分信号のうち、ブラックに対応する色成分信号（Ｋ信号）から得られる輝度信号（Ｌ信号）に対するフィルタ処理におけるフィルタゲインを、入力画像データの色空間に応じて調整する。これにより、とりわけコントラストに関連する処理の影響を受けやすいＫ信号に対して、過剰にエッジ強調（シャープネス）処理が行われることを防止することが可能になる。
【００３２】
まずＳ４０１で、エッジ強調部３０２は、入力されたＣＭＹＫ色空間の画像データを、ブラック以外の色に対応する色成分信号であるＣＭＹ信号と、ブラックに対応する色成分信号であるＫ信号とに分離する。更に、エッジ強調部３０２は、ＣＭＹ信号をＲＧＢ信号に変換し、Ｋ信号をＬ信号に変換する。例えば、入力された画像データの各色の信号値（Ｃ，Ｍ，Ｙｅ，Ｋ）が８ビットで構成される（２５６階調の信号値である）場合、次式により、ＲＧＢ信号及びＬ信号（輝度）の信号値への変換が可能である。
Ｒ＝２５５−Ｃ
Ｇ＝２５５−Ｍ
Ｂ＝２５５−Ｙｅ
Ｌ＝２５５−Ｋ        （１）
なお、式（１）における数値「２５５」は、ビット数ｄに応じて（２d−１）として定められた値である。
【００３３】
Ｓ４０１において得られた各画素のＲＧＢ信号は、Ｓ４０２〜Ｓ４０８の処理の対象となる。Ｓ４０１において得られた各画素のＬ信号は、Ｓ４１０〜Ｓ４１５の処理の対象となる。Ｓ４０２〜Ｓ４０８の処理及びＳ４１０〜Ｓ４１５の処理は、それぞれ、画像データを構成する各画素を順に注目画素に設定して実行される。なお、Ｓ４０２〜Ｓ４０８の処理とＳ４１０〜Ｓ４１５の処理とは並列に実行されてもよいし、順に実行されてもよい。
【００３４】
（ＲＧＢ信号に対するエッジ強調処理）
Ｓ４０２〜Ｓ４０８の処理により、ＲＧＢ信号の信号値（Ｒ，Ｇ，Ｂ）からエッジ強調後の信号値（Ｒ'，Ｇ'，Ｂ'）が得られる。
【００３５】
まずＳ４０２で、エッジ強調部３０２は、ＲＧＢ信号に対して、輝度・色差系の色空間への色変換を行う。本実施形態では、注目画素について、ＲＧＢ信号の信号値（Ｒ，Ｇ，Ｂ）を、次式のように、ＹＣｂＣｒ色空間の信号値（Ｙ，Ｃｂ，Ｃｒ）に変換する。
Ｙ  ＝  ０．２９９０＊Ｒ＋０．５８７０＊Ｇ＋０．１１４０＊Ｂ
Ｃｂ＝−０．１６８７＊Ｒ−０．３３１３＊Ｇ＋０．５０００＊Ｂ
Ｃｒ＝  ０．５０００＊Ｒ−０．４１８７＊Ｇ−０．０８１３＊Ｂ      （２）
なお、ＲＧＢ信号の各色の信号値が８ビットで構成される場合、Ｙ信号（輝度）は０〜２５５の値、Ｃｂ信号（色差）は−１２８〜１２７の値、Ｃｒ信号（色差）は−１２８〜１２７の値を有する。この変換により、ＲＧＢ信号が、Ｙ信号、Ｃｂ信号及びＣｒ信号に変換される。
【００３６】
次にＳ４０３で、エッジ強調部３０２は、輝度信号（Ｙ）及び色差信号（ＣｂＣｒ）から、所定のサイズのウィンドウ（フィルタウィンドウ）内の、注目画素及びその周囲の画素を含む複数の画素の信号値を抽出する。本実施形態では、一例として５×５画素のサイズのフィルタウィンドウが用いられる。
【００３７】
更にＳ４０４で、エッジ強調部３０２は、Ｙ信号のフィルタウィンドウ内の信号値に対して所定のフィルタ係数のフィルタの畳み込み（フィルタ処理）を行うことによって、エッジ強調を行う。このフィルタ処理により、Ｙ信号から、エッジ強調後の輝度信号であるＹ'信号が得られる。本実施形態において、Ｓ４０４のフィルタ処理は、処理対象の画像データに含まれる色成分信号のうち、ブラック以外の色に対応する色成分信号から得られる輝度信号（Ｙ信号）に対する第１フィルタ処理の一例である。エッジ強調部３０２は、Ｓ４０４のフィルタ処理におけるフィルタゲインを、入力画像データの色空間によらず同一にする。
【００３８】
Ｓ４０４におけるフィルタ処理の例としては、ラプラシアンフィルタを用いて２次微分の成分を計算し、得られた値を原画像の信号値から減算する処理がある。この処理を１回の畳み込みで実現する場合、例えば、以下のように行列で表現されるフィルタ係数が使用される。
2020170308.tif 000003
このフィルタ係数行列のサイズは、Ｓ４０３で使用されるフィルタウィンドウサイズ以下とされる必要がある。本実施形態では、Ｓ４０４の処理は、輝度信号（Ｙ）に対してのみ行われ、色差信号（ＣｂＣｒ）に対しては行われない。これにより、画像の明るさのみが強調され、画像のエッジ部分における色変化を抑えることが可能になる。
【００３９】
ここで、図５は、Ｓ４０４の処理結果の例を示す図である。図５に示されるグラフの横軸は画素の位置を示し、縦軸は各画素の輝度を示す。図５に示されるように、Ｙ信号の変化点付近において、エッジ強調後のＹ'信号に変化が生じている。具体的には、エッジ強調後のＹ'信号は、画像の暗い部分についてはより暗くなり、明るい部分についてはより明るくなるように、コントラストが与えられることを示している。
【００４０】
Ｓ４０４の処理が完了すると、次にＳ４０５で、エッジ強調部３０２は、フィルタウィンドウ内の、注目画素の周囲の画素の白色度の累積値を求める。この累積値は、Ｓ４０６及びＳ４０７においてエッジ強調量の補正に用いられる。
【００４１】
本実施形態では、彩度が低く、かつ、輝度が高い画素を、白色度が高い画素と定義し、そのような画素の白色度が高い値を有するように白色度を設定する。具体的には、彩度Ｓは、色差信号（ＣｂＣｒ）を用いて算出される。上述のように、色差信号（ＣｂＣｒ）は色成分を示し、信号値（Ｃｂ，Ｃｒ）＝（０，０）からの距離により、色の鮮やかさ（彩度）が表現される。このため、彩度Ｓは次式により求められる。
Ｓ＝（Ｃｂ2＋Ｃｒ2）1/2      （３）
【００４２】
更に、ある画素の白色度Ｗは、例えば、上式により得られた彩度Ｓ、Ｓ４０１においてＫ信号から得られたＬ信号（輝度）、及びＳ４０２においてＲＧＢ信号から得られたＹ信号（輝度）を用いて、次式により求められる。
Ｗ＝Ｙ2＋Ｌ2＋（２５５−Ｓ）2      （４）
ここで、Ｙ信号及びＬ信号は、値が大きいほど輝度が高いことを示し、彩度Ｓは、値が大きいほど彩度が高いことを示す。一方、（２５５−Ｓ）は、値が大きいほど彩度が低いことを示す。したがって、ある画素の白色度Ｗは、当該画素の輝度が高いほど大きな値となり、また、彩度が低いほど大きい値となる。高輝度の無彩色が白であることを考慮すれば、式（４）のＷは、白色度を示すことが理解されよう。なお、Ｌ信号はＫ信号の補数であることから、白色度Ｗは、Ｙ信号（輝度）及びＫ信号に基づいて決定しているとも理解されよう。
【００４３】
Ｓ４０５において、エッジ強調部３０２は、注目画素の周囲の所定数の画素（画素群）について白色度Ｗを求め、その累積値を求める。図６は、注目画素の周囲の１６画素について白色度Ｗの累積値を求める例を示している。図６の例では、注目画素６０１の周囲の、記号「ｘ」で示される１６個の画素群６０２について、それぞれ白色度Ｗが求められ、その累積値ΣＷが求められる。本例によれば、例えば、正方形状に配置された画素群６０２のうち、当該正方形の一辺を構成する画素のみが白い場合の累積値に対して、全画素が白い場合は４倍の累積値が得られることになる。このようにして、着目画素の周囲の画素群の白さの程度として、白色度Ｗの積算値ΣＷが求められる。
【００４４】
次にＳ４０６で、エッジ強調部３０２は、Ｓ４０５で得られた累積値ΣＷに応じて、エッジ強調量を補正する補正値αCMYを生成する。補正値αCMYは、０から１．０の値を取りうる。αCMY＝１．０は補正が不要であり、αCMYの値が小さいほど補正量が大きくなるように定義される。例えば、図７に示されるように、αCMYは、累積値ΣＷが小さいほど１．０に近づき、累積値ΣＷが大きいほど小さくなる（０に近づく）ように生成される。エッジ強調部３０２は、図７に示される対応関係を用いて、累積値ΣＷに対応する補正値αCMYを取得する。なお、補正値αCMYの生成は、累積値ΣＷを入力とし、αCMYを出力としたルックアップテーブル（ＬＵＴ）を用いることで実現できる。このＬＵＴは、予め記憶部１０３に格納され、記憶部１０３から読み出されて使用されうる。
【００４５】
更にＳ４０７で、エッジ強調部３０２は、Ｓ４０６で得られた補正値αCMY、Ｓ４０２で得られた原画像のＹ信号、及びＳ４０４で得られたエッジ強調後のＹ'信号に基づいて、エッジ強調量の補正処理を行う。補正後の輝度信号であるＹ''信号は、次式のように、Ｙ信号及びエッジ強調後のＹ'信号に対して、それぞれαCMYに応じた重み付けを行い、重み付け後の信号を合成することによって得られる。
Ｙ''＝（１．０−αCMY）＊Ｙ＋αCMY＊Ｙ'      （５）
【００４６】
このようにして、エッジ強調部３０２は、エッジ強調量の補正のために、Ｓ４０４のフィルタ処理が行われる前の輝度信号（Ｙ信号）と当該フィルタ処理により得られた輝度信号（Ｙ'信号）とを、それぞれ重み付けして合成する。
【００４７】
その後Ｓ４０８で、エッジ強調部３０２は、Ｓ４０７の補正処理後の信号に対して、ＹＣｂＣｒ色空間からＲＧＢ色空間への逆変換を行う。具体的には、次式のように、Ｓ４０２における色変換の逆行列演算を行うことで、注目画素についてのエッジ強調後の信号値（Ｒ'，Ｇ'，Ｂ'）が得られる。
Ｒ'＝Ｙ''                    ＋１．４０２０＊Ｃｒ
Ｇ'＝Ｙ''−０．３４４１＊Ｃｂ−０．７１４１＊Ｃｒ
Ｂ'＝Ｙ''＋１．７７２０＊Ｃｂ                          （６）
【００４８】
（Ｌ信号に対するエッジ強調処理）
一方、Ｓ４１０〜Ｓ４１５の処理により、Ｌ信号の信号値からエッジ強調後の輝度信号であるＬ''信号の信号値が得られる。
【００４９】
まずＳ４１０で、エッジ強調部３０２は、Ｌ信号（輝度）から、Ｓ４０３と同様に、所定のサイズのフィルタウィンドウ内の、注目画素及びその周囲の画素を含む複数の画素の信号値を抽出する。
【００５０】
次にＳ４１１で、エッジ強調部３０２は、画像処理部１０２に入力された画像データ（印刷データ）の色空間（入力色空間）が、ＲＧＢ色空間であるかＣＭＹＫ色空間であるかを判定する。エッジ強調部３０２は、入力色空間がＲＧＢ色空間である場合にはＳ４１２へ処理を進め、ＣＭＹＫ色空間である場合にはＳ４１３へ処理を進める。
【００５１】
入力された画像データの色空間がＲＧＢ色空間である場合、Ｓ４１２で、エッジ強調部３０２は、Ｌ信号に対してＳ４０４と同様にエッジ強調を行う。具体的には、エッジ強調部３０２は、Ｌ信号のフィルタウィンドウ内の信号値に対して所定のフィルタ係数のフィルタの畳み込み（フィルタ処理）を行うことで、Ｌ信号からエッジ強調後の輝度信号であるＬ'信号を求める。
【００５２】
一方、入力された画像データの色空間がＣＭＹＫ色空間である場合、Ｓ４１３で、エッジ強調部３０２は、Ｓ４１２とは異なるフィルタ係数を用いて、Ｌ信号に対してエッジ強調を行うことで、エッジ強調後のＬ'信号を求める。具体的には、エッジ強調部３０２は、Ｓ４１２で使用される各フィルタ係数に対して、フィルタ処理におけるフィルタゲインを調整するためのゲイン調整値Ｇを一様に乗算する。これにより、フィルタ係数を用いたフィルタ処理によるエッジ強調の度合いを変更する。本実施形態では、一例として、ゲイン調整値Ｇ＝０．５に設定する。これにより、画像データの色空間がＣＭＹＫ色空間である場合、画像データの色空間がＲＧＢ色空間である場合と比べて、Ｋ信号に対するエッジ強調の度合いが抑制される。
【００５３】
例えば、ゲイン調整値Ｇ＝０．５の場合、Ｓ４０４及びＳ４１２で使用されるフィルタ係数にゲイン調整値Ｇを乗算することで、以下のようなフィルタ係数行列が得られる。
2020170308.tif 000004
なお、このフィルタ係数行列を使用した場合、Ｌ'信号の値が全体的に低くなり、暗い画像が得られることになるため、フィルタ係数行列の中央に位置する係数（１．０４）を、当該行列内の係数の総和が１．０となるように調整（オフセット）する。本例では、中央に位置する係数に０．５を加算して得られた、以下のフィルタ係数行列が、Ｓ４１３の処理に使用される。なお、ゲイン調整値Ｇが適用された上記のフィルタ係数行列が予め用意され、記憶部１０３に格納されていてもよい。また、ゲイン調整値Ｇは、１．０未満の値であれば、０．５以外の値であってもよい。
【００５４】
本実施形態において、Ｓ４１２及びＳ４１３のフィルタ処理は、ブラックに対応する色成分信号から得られる輝度信号（Ｌ信号）に対する第２フィルタ処理の一例である。エッジ強調部３０２は、入力画像データの色空間に応じてエッジ強調の度合いを調整するために、上述のようにして、フィルタ処理におけるフィルタゲインを入力画像データの色空間に応じて調整する。
【００５５】
ここで、図８は、Ｓ４１２及びＳ４１３の処理結果の例を示す図である。図８に示されるグラフの横軸は画素の位置を示し、縦軸は各画素の輝度を示す。図８に示されるように、Ｌ信号（輝度）の変化点付近において、入力色空間がＲＧＢ色空間である場合とＣＭＹＫ色空間である場合のいずれも、エッジ強調後のＬ'信号に変化が生じている。具体的には、エッジ強調後のＬ'信号は、画像の暗い部分についてはより暗くなり、明るい部分についてはより明るくなるように、コントラストが与えられることを示している。また、入力色空間がＣＭＹＫ色空間である場合のＬ'信号は、入力色空間がＲＧＢ色空間である場合のＬ'信号よりも変化の大きさが小さくなっており、これはエッジ強調の度合いが抑制されていることを示している。
【００５６】
このような処理によれば、ＣＭＹＫ色空間で表現された印刷データ（画像データ）に対して外部装置において想定外の色変換が行われていたとしても、画像処理部１０２においてＫ信号に対して過度のエッジ強調を行ってしまうことを防止できる。
【００５７】
次にＳ４１４で、エッジ強調部３０２は、Ｓ４０６と同様に、Ｓ４０５で得られた白色度の累積値ΣＷに応じて、エッジ強調量を補正する補正値αKを生成する。更にＳ４１５で、エッジ強調部３０２は、Ｓ４０７と同様に、Ｓ４１４で得られた補正値αK、Ｓ４０１で得られた原画像のＬ信号（輝度）、及びＳ４１２で得られたエッジ強調後のＬ'信号に基づいて、エッジ強調量の補正処理を行う。補正後のＬ''信号は、次式のように、Ｌ信号及びエッジ強調後のＬ'信号に対して、それぞれαKに応じた重み付けを行い、重み付け後の信号を合成することによって得られる。
Ｌ''＝（１．０−αK）＊Ｌ＋αK＊Ｌ'      （７）
【００５８】
このようにして、エッジ強調部３０２は、エッジ強調量の補正のために、Ｓ４１２又はＳ４１３のフィルタ処理が行われる前の輝度信号（Ｌ信号）と当該フィルタ処理により得られた輝度信号（Ｌ'信号）とを、それぞれ重み付けして合成する。
【００５９】
Ｓ４０８及びＳ４１５の処理が完了すると、Ｓ４０９で、エッジ強調部３０２は、上述の処理により得られた信号値（Ｒ'，Ｇ'，Ｂ'，Ｌ''）を、次式のようにＳ４０１の変換の逆変換により、エッジ強調処理後のＣＭＹＫ信号の信号値に変換する。
Ｃ'＝２５５−Ｒ'
Ｍ'＝２５５−Ｇ'
Ｙｅ'＝２５５−Ｂ'
Ｋ'＝２５５−Ｌ''      （８）
【００６０】
入力された画像データの全画素について上述の処理を行うことにより、エッジ強調処理が行われた画像データが生成される。
【００６１】
以上説明したように、本実施形態の画像形成装置１０において、画像処理部１０２は、印刷対象の画像データの入力を受け付ける。色変換部３０１は、入力画像データの色空間がＲＧＢ色空間（第１色空間）である場合に、当該画像データをＣＭＹＫ色空間（第２色空間）の画像データに変換する。エッジ強調部３０２は、エッジ強調部３０２は、入力画像データの色空間がＲＧＢ色空間である場合には、色変換部３０１による変換後の画像データに対してエッジ強調処理を行う。一方、エッジ強調部３０２は、入力画像データの色空間がＣＭＹＫ色空間である場合には、当該入力画像データに対してエッジ強調処理を行う。
【００６２】
上述のエッジ強調処理において、エッジ強調部３０２は、入力画像データの色空間がＲＧＢ色空間である場合とＣＭＹＫ色空間である場合とで、エッジ強調処理におけるエッジ強調の度合いを異ならせる。より具体的には、エッジ強調部３０２は、入力画像データの色空間がＣＭＹＫ色空間である場合に、入力画像データの色空間がＲＧＢ色空間である場合よりも、エッジ強調処理におけるエッジ強調の度合いを弱くする。これにより、入力された印刷データ（画像データ）の色空間に依存して当該印刷データに対してエッジ強調処理が過剰に行われることを防ぐことが可能になる。
【００６３】
また、上述のエッジ強調処理では、入力される印刷データの色空間（入力色空間）に応じて、Ｋ信号から生成されるＬ信号（輝度）に対して適用されるフィルタ係数を、ゲイン調整値により調整している。即ち、フィルタ処理におけるフィルタゲインを調整している。これにより、とりわけ、トナーの明度が最も低く、コントラストに関連する処理の影響を受けやすいＫ信号に対して、過剰にエッジ強調（シャープネス）処理が行われることを防止できる。また、ＣＭＹ信号から生成されるＹ信号（輝度）に対して適用されるフィルタ係数を、入力される印刷データの色空間に依らず共通にする（同一にする）ことにより、それぞれ異なる色空間の印刷データに対してエッジ強調の効果を維持できる。
【００６４】
なお、本実施形態は種々の変更が可能である。例えば、本実施形態ではエッジ強調処理を行う色空間として輝度・色差系のＹＣｂＣｒ色空間が用いられているが、輝度・色差系の他の色空間（例えば、Ｌ＊ａ＊ｂ＊色空間）が用いられてもよい。また、エッジ強調処理には、上述の手法以外の手法（例えば、アンシャープマスク）を用いられてもよい。
【００６５】
また、白色度Ｗは、Ｓ４０５において彩度Ｓ及びＹ信号（輝度）を用いて算出されているが、Ｙ信号のみが用いられてもよい。これは、Ｙ信号にもＲＧＢ信号の成分が十分に反映されており、ある画素のＹ信号の値が十分大きければ、当該画素を白色とみなすことができるためである。この場合、例えばＳ４０５においてΣＷに代えて着目画素の周囲の画素群のＹ信号の信号値の累積値ΣＹを求め、当該累積値ΣＹに対応する補正値αCMYを求めてもよい。また、Ｓ４１５においてＬ信号（輝度）に対して適用される補正値αKとして、ΣＷに依らず予め定められた一定値が用いられてもよい。
【００６６】
また、本実施形態では、ＣＭＹ信号から生成されるＹ信号（輝度）に対して適用されるフィルタ係数を、入力される印刷データの色空間に依らず共通にしているが、これに限定されない。例えば、入力される印刷データの色空間がＣＭＹＫ色空間である場合に、Ｋ信号に対して抑制されたエッジ強調の度合いを、ＣＭＹ信号に対するエッジ強調で補ってもよい。その場合、例えば、ＣＭＹ信号から生成されるＹ信号に対して適用されるフィルタ係数に、ゲイン調整値Ｇの逆数を適用することで、印刷データの色空間がＲＧＢ色空間である場合よりも、エッジ強調の度合いを強めてもよい。
【００６７】
［第２実施形態］
第１実施形態では、画像処理部１０２に入力された画像データ（印刷データ）の色空間（入力色空間）がＣＭＹＫ色空間である場合に、フィルタ係数にゲイン調整値Ｇを適用することでエッジ強調量を補正する構成を説明した。本実施形態では、入力色空間がＲＧＢ色空間である場合とＣＭＹＫ色空間である場合とで異なる補正値αKを用いることでエッジ強調量を補正する構成を説明する。なお、第１実施形態と共通する部分については説明を省略する。
【００６８】
図９は、本実施形態に係るエッジ強調処理の手順を示すフローチャートである。図９に示される各ステップの処理は、ＣＰＵ１０４からの命令に従ってエッジ強調部３０２（画像処理部１０２）によって実行される。
【００６９】
本実施形態では、エッジ強調部３０２は、Ｓ４１０の処理を行った後、Ｓ４１２へ処理を進める。即ち、エッジ強調部３０２は、Ｓ４１２で、入力色空間に応じてフィルタ係数を変更せずに、Ｌ信号（輝度）に対してＳ４０４と同様のフィルタ処理を行い、Ｓ４０５へ処理を進める。
【００７０】
また、エッジ強調部３０２は、Ｓ４１２の処理の完了後、Ｓ４０５において注目画素の周囲の画素群について白色度の累積値が算出されると、次にＳ９０１へ処理を進める。Ｓ９０１で、エッジ強調部３０２は、画像処理部１０２に入力された画像データ（印刷データ）の色空間（入力色空間）が、ＲＧＢ色空間であるかＣＭＹＫ色空間であるかを判定する。エッジ強調部３０２は、入力色空間がＲＧＢ色空間である場合にはＳ４１４へ処理を進め、ＣＭＹＫ色空間である場合にはＳ９０２へ処理を進める。
【００７１】
Ｓ４１４で、エッジ強調部３０２は、第１実施形態と同様に、Ｓ４０５で得られた白色度の累積値ΣＷに応じて、エッジ強調量を補正する補正値αKを生成し、Ｓ４１５へ処理を進める。一方、Ｓ９０２で、エッジ強調部３０２は、エッジ強調量を補正する補正値αKとして、Ｓ４１４とは異なる補正値を生成する。具体的には、エッジ強調部３０２は、図１０に示されるように、αKの最大値が１．０よりも低い値となるように、補正値αKを生成する。図１０の例では、補正値αKの最大値は、図７の例における最大値１．０の半分である０．５となっている。エッジ強調部３０２は、図１０に示される対応関係を用いて、累積値ΣＷに対応する補正値αKを取得する。
【００７２】
その後、Ｓ４１５で、エッジ強調部３０２は、Ｓ４１４又はＳ９０２において生成された補正値αKを用いて、注目画素についてエッジ強調量の補正処理を行う。これにより、図８に示されるように、入力色空間がＣＭＹＫ色空間である場合に、入力色空間がＲＧＢ色空間である場合よりも、Ｋ信号から生成されるＬ信号に対するに対するエッジ強調の度合いが抑制される。即ち、第１実施形態と同様の結果を得ることができる。
【００７３】
以上説明したように、本実施形態では、エッジ強調部３０２（画像処理部１０２）は、入力される印刷データの色空間（入力色空間）に応じて、Ｋ信号から生成されるＬ信号に適用する補正値αKを調整して適用する。即ち、エッジ強調部３０２は、入力画像データの色空間に応じて、エッジ強調量の補正のための補正処理に用いられる重み付け係数（補正値αK）を調整することで、エッジ強調の度合いを調整する。これにより、第１実施形態と同様、入力された印刷データ（画像データ）の色空間に依存して当該印刷データに対してエッジ強調処理が過剰に行われることを防ぐことが可能になる。また、Ｋ信号に対して、過剰にエッジ強調処理が行われることを防止できる。
【００７４】
なお、本実施形態では、エッジ強調量の補正のために補正値αKを調整する例を説明したが、補正値αKの調整と、第１実施形態で説明したゲイン調整値Ｇの適用との両方が行われてもよい。
【００７５】
また、本実施形態では、ＣＭＹ信号から生成されるＹ信号（輝度）に対して適用される補正値CMYを、入力される印刷データの色空間に依らず共通にしているが、これに限定されない。例えば、入力される印刷データの色空間がＣＭＹＫ色空間である場合に、Ｋ信号に対して抑制されたエッジ強調の度合いを、ＣＭＹ信号に対するエッジ強調で補ってもよい。その場合、例えば、入力色空間がＣＭＹＫ色空間である場合に、ＣＭＹ信号から生成されるＹ信号に適用する補正値αCMYを、入力色空間がＲＧＢ色空間である場合よりも、相対的に大きくすることで、エッジ強調の度合いを強めてもよい。
【００７６】
［第３実施形態］
第１実施形態では、画像処理部１０２に入力された画像データ（印刷データ）の色空間（入力色空間）ごとに、異なるフィルタ係数を用いる構成を説明した。本実施形態では、ユーザインタフェース（ＵＩ）を介してユーザによって指定された設定値に応じてフィルタ係数を変更可能にする構成を説明する。なお、第１実施形態と共通する部分については説明を省略する。
【００７７】
図１１は、ＵＩ部１０６に表示される操作画面（ＵＩ）の例を示す図である。図１１に示されるように、ＵＩ１１００は、スライドバー１１０１を操作することにより、エッジ強調の度合いをユーザが設定できるように構成される。ＣＰＵ１０４は、ＵＩ１１００における設定を示す設定値を記憶部１０３に格納することで、ユーザの操作に従ってエッジ強調の度合いを設定する。ＵＩ１１００では、一例として、エッジ強度の度合いを、（度合いが弱い順に）０，０．５，０．８，１．０の設定値に対応する、４段階（「しない」、「弱」、「中」及び「強」）のいずれかに設定可能である。
【００７８】
エッジ強調部３０２（画像処理部１０２）は、ＵＩ１１００を介して設定された設定値に従って、Ｓ４０４、Ｓ４１２及びＳ４１３で用いるフィルタ係数を調整する。具体的には、エッジ強調部３０２は、フィルタ係数行列の各フィルタ係数に設定値を乗算することによって、フィルタ係数を調整する。なお、この調整により、エッジ調整後の画像が暗い画像になることを防止するために、第１実施形態で説明したように、フィルタ係数行列の中央に位置する係数を、当該行列内の係数の総和が１．０となるように調整（オフセット）してもよい。
【００７９】
以上説明したように、本実施形態では、エッジ強調部３０２は、ユーザによる設定に従ってエッジ強調の度合いを調整する。これにより、第１実施形態と同様の効果に加えて、ユーザの好みに応じてエッジ強調の度合いを変更することが可能になる。
【００８０】
なお、本実施形態では、入力色空間がＣＭＹＫ色空間である場合に適用されるゲイン調整値Ｇは、ＵＩ１１００における設定に依存しないが、これに限定されない。例えば、ＵＩ１１００を介して設定された設定値が示すエッジ強調の度合いが強いほど、ゲイン調整値Ｇが１．０に近づくように、ゲイン調整値Ｇを調整してもよい。また、設定可能なエッジ強調の度合いとして最大の度合いが指定された場合に、最大のエッジ強調効果を得るために、ゲイン調整値Ｇを１．０に設定することで、Ｋ信号に対するエッジ強調の度合いを抑制しないようにしてもよい。
【００８１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８２】
発明は上述の実施形態に制限されるものではなく、発明の精神及び範囲から離脱することなく、様々な変更及び変形が可能である。したがって、発明の範囲を公にするために請求項を添付する。
【符号の説明】
【００８３】
１０：画像形成装置、１０１：画像読取部、１０２：画像処理部、１０３：記憶部、１０４：ＣＰＵ、１０５：画像出力部、１０６：ＵＩ部、１０７：通信部、３０１：色変換部、３０２：エッジ強調部、３０３：ハーフトーン処理部
【図１】
2020170308.tif 000005
【図２】
2020170308.tif 000006
【図３】
2020170308.tif 000007
【図４】
2020170308.tif 000008
【図５】
2020170308.tif 000009
【図６】
2020170308.tif 000010
【図７】
2020170308.tif 000011
【図８】
2020170308.tif 000012
【図９】
2020170308.tif 000013
【図１０】
2020170308.tif 000014
【図１１】
2020170308.tif 000015